(57)【要約】【課題】ポイント企画が多様化してもポイント管理業務を簡便に行う。【解決手段】実施形態の販売データ処理装置は、店舗情報読込手段と、ポイント読込手段と、ポイント出力手段と、を備える。店舗情報読込手段は、店舗を識別するための店舗識別情報を記憶した店舗情報記憶手段から、自店舗の店舗識別情報を読み込む。ポイント読込手段は、ポイント企画ごとに、そのポイント企画を適用する店舗の店舗識別情報と、そのポイント企画で適用するポイント付与率と、を記憶したポイント記憶手段から、前記店舗情報読込手段が読み込んだ前記店舗識別情報に対する前記ポイント付与率を読み込む。ポイント出力手段は、前記ポイント読込手段が読み込んだ前記ポイント付与率に基づいてポイントを算出し、算出したポイントを出力する。【選択図】図５
2018190471.tif 000002
【特許請求の範囲】
【請求項１】
店舗を識別するための店舗識別情報を記憶した店舗情報記憶手段から、自店舗の店舗識別情報を読み込む店舗情報読込手段と、
ポイント企画ごとに、そのポイント企画を適用する店舗の店舗識別情報と、そのポイント企画で適用するポイント付与率と、を記憶したポイント記憶手段から、前記店舗情報読込手段が読み込んだ前記店舗識別情報に対する前記ポイント付与率を読み込むポイント読込手段と、
前記ポイント読込手段が読み込んだ前記ポイント付与率に基づいてポイントを算出し、算出したポイントを出力するポイント出力手段と、
を備える販売データ処理装置。
【請求項２】
前記ポイント記憶手段は、前記ポイント企画として、当該ポイント企画を適用する商品は特定せずに、当該ポイント企画を適用する店舗を特定する店舗対象企画についてそのポイント付与率を記憶し、
前記ポイント読込手段は、前記ポイント記憶手段から、前記店舗情報読込手段が読み込んだ前記店舗識別情報に該当する前記店舗限定ポイント企画のポイント付与率を読み込み、
前記ポイント出力手段は、前記ポイント読込手段が読み込んだ前記店舗対象企画のポイント付与率に基づいてポイントを算出し、算出したポイントを出力する、
請求項１に記載の販売データ処理装置。
【請求項３】
売上商品の商品情報を受付ける商品情報受付手段を更に備え、
前記ポイント記憶手段は、前記ポイント企画ごとに、当該ポイント企画を適用する店舗の店舗識別情報と、当該ポイント企画を適用する商品の商品情報との組み合わせを記憶し、
前記ポイント読込手段は、前記ポイント記憶手段から、前記店舗情報読込手段が読み込んだ前記店舗識別情報および前記商品情報受付手段が受付けた前記商品情報の組み合わせに該当する前記ポイント企画を選択して、当該ポイント企画のポイント付与率を読み込み、
前記ポイント出力手段は、前記ポイント読込手段が読み込んだ前記ポイント付与率に基づいてポイントを算出し、算出したポイントを出力する、
請求項１または２に記載の販売データ処理装置。
【請求項４】
前記ポイント記憶手段は、いずれの前記ポイント企画にも該当しない場合に適用するベースポイントのポイント付与率を記憶し、
前記ポイント出力手段は、前記店舗情報読込手段が読み込んだ前記店舗識別情報に該当する前記ポイント企画が前記ポイント記憶手段に設定されていなければ、前記ベースポイントのポイント付与率に基づいてポイントを算出し、算出したポイントを出力する、
請求項１ないし３のいずれか１つに記載の販売データ処理装置。
【請求項５】
前記ポイント記憶手段は、前記ポイント企画ごとに、当該ポイント企画の適用期間を記憶し、
前記ポイント読込手段は、前記ポイント記憶手段から適用期間内の前記ポイント企画のポイント付与率を読み込む、請求項１ないし４のいずれか１つに記載の販売データ処理装置。
【請求項６】
販売データ処理装置において、コンピュータを、
店舗を識別するための店舗識別情報を記憶した店舗情報記憶手段から、自店舗の店舗識別情報を読み込む店舗情報読込手段と、
ポイント企画ごとに、そのポイント企画を適用する店舗の店舗識別情報と、そのポイント企画で適用するポイント付与率と、を記憶したポイント記憶手段から、前記店舗情報読込手段が読み込んだ前記店舗識別情報に対する前記ポイント付与率を読み込むポイント読込手段と、
前記ポイント読込手段が読み込んだ前記ポイント付与率に基づいてポイントを算出し、算出したポイントを出力するポイント出力手段として機能させるプログラム。
【発明の詳細な説明】
【技術分野】
【０００１】
本発明の実施形態は、販売データ処理装置およびプログラムに関する。
【背景技術】
【０００２】
小売業や飲食業、サービス業のチェーン店では、系列店で共通して利用できるポイントを客に付与するポイント制が広く用いられている。ポイント制の従来技術としては、キャンペーン期間中のポイント付与率（還元率）を高く設定して集客率向上を図ることができるポイント管理システムがある。また、おすすめの商品や商品カテゴリのポイント還元率を高く設定して、購買意欲向上を図る技術も知られている。
【０００３】
従来のポイント制においては、チェーン店を統括する本部サーバが系列全店のポイント付与率を統括管理する場合が多い。例えば本部サーバは、ポイント企画等ごとにポイント付与率を設定したポイントマスタを系列各店に配信する。そして、店舗のＰＯＳ（Point  Of  Sale）端末は、商品登録時にポイントマスタを用いてポイントを算出し、企画に応じた全店共通のポイントを客に付与することができる。
【０００４】
ところで、チェーン店では、特定店舗や特定地域に属する特定店舗に限定してポイント企画を実施したい場合もある。このような場合に従来は、ポイント企画を実施する店舗と実施しない店舗とで異なるポイントマスタを準備する必要があった。従って、多数のポイント企画を開催したい場合にはポイントマスタの管理業務が煩雑になってしまっていた。そこで従来、ポイント企画の多様化に対応できるポイント管理システムの開発が求められていた。
【発明の概要】
【発明が解決しようとする課題】
【０００５】
本発明が解決しようとする課題は、ポイント企画が多様化してもポイント管理業務を簡便に行うことができる販売データ処理装置およびプログラムを提供することである。
【課題を解決するための手段】
【０００６】
実施形態の販売データ処理装置は、店舗情報読込手段と、ポイント読込手段と、ポイント出力手段と、を備える。店舗情報読込手段は、店舗を識別するための店舗識別情報を記憶した店舗情報記憶手段から、自店舗の店舗識別情報を読み込む。ポイント読込手段は、ポイント企画ごとに、そのポイント企画を適用する店舗の店舗識別情報と、そのポイント企画で適用するポイント付与率と、を記憶したポイント記憶手段から、前記店舗情報読込手段が読み込んだ前記店舗識別情報に対する前記ポイント付与率を読み込む。ポイント出力手段は、前記ポイント読込手段が読み込んだ前記ポイント付与率に基づいてポイントを算出し、算出したポイントを出力する。
【図面の簡単な説明】
【０００７】
【図１】図１は、図１は、本実施形態にかかる店舗システムの概略構成図である。
【図２】図２は、本部サーバのハードウェア構成を示すブロック図である。
【図３】図３は、ポイントマスタの設定例を示した説明図である。
【図４】図４は、店舗サーバのハードウェア構成を示すブロック図である。
【図５】図５は、ＰＯＳ端末の機能構成を示すブロック図である。
【図６】図６は、ＰＯＳ端末が実行するポイント付与処理の手順を示すフローチャートである。
【発明を実施するための形態】
【０００８】
図１は、本実施形態にかかる店舗システム１００の概略構成図である。店舗ａ〜ｃは、それぞれ少なくとも１台のＰＯＳ端末１を備えている。ＰＯＳ端末１は、商品の売上登録処理を行う販売データ処理装置である。尚、図１では複数台のＰＯＳ端末１が店舗サーバ４に接続されて使用される例について示しているが、店舗において用いられるＰＯＳ端末１の台数は特に限定されない。
【０００９】
店舗サーバ４は、ＰＯＳ端末１から受信したデータやその他データを統括管理し、店舗の売上管理、在庫管理、経費管理等を行うサーバ装置である。店舗サーバ４とＰＯＳ端末１とは店内に設けられたＬＡＮ（Local  Area  Network）等の接続回線３で接続されている。店舗サーバ４は、専用回線８により本部サーバ６と接続されている。本部サーバ６は、複数の店舗での売上管理や在庫管理等を行うサーバである。
【００１０】
次に、各装置の機能構成について説明する。まず、本部サーバ６について説明する。図２は、本部サーバ６のハードウェア構成を示すブロック図である。本部サーバ６は、ＣＰＵ、ＲＯＭ、ＲＡＭ等で構成されるコンピュータ構成の制御部６１を備える。また、制御部６１にはバス６２及びＩ／Ｏ機器制御部６４を介して、キーボード６５、表示器６６、プリンタ６７及びＨＤＤ（Hard  Disk  Drive）６８が接続されている。制御部６１は、通信Ｉ／Ｆ（Interface）６３及び専用回線８を介して店舗サーバ４との間でデータ通信を行う。
【００１１】
ＨＤＤ６８は、制御部６１のＣＰＵを動作させる各種プログラムの他、商品マスタ６８１、ポイントマスタ６８２および会員マスタ６８３を格納している。
【００１２】
商品マスタ６８１は、商品コード、商品名、価格などの商品情報を管理するマスタファイルである。
【００１３】
ポイントマスタ６８２は、ポイント企画の適用対象と、ポイント付与率などを設定するためのマスタファイルである。ポイントマスタ６８２のより詳細な機能構成と設定例については図３とともに後述する。
【００１４】
会員マスタ６８３は、会員番号と、会員名や連絡先等の会員情報と、ポイント数とを管理するためのマスタファイルである。
【００１５】
本部サーバ６は商品マスタ６８１およびポイントマスタ６８２を更新、管理し、更新後のデータを系列店舗の店舗サーバ４に配布する。店舗サーバ４は配布されたデータに基づき自装置の商品マスタ４８１およびポイントマスタ４８２（ともに図４参照）を更新する。そして、同店舗内のＰＯＳ端末１は、所定のタイミングやデータ更新の指示を受付けた際に、店舗サーバ４の商品マスタ４８１およびポイントマスタ４８２に最新データを問い合わせる。そして、ＰＯＳ端末１は、店舗サーバ４の最新データをコピーし、商品マスタ２０１およびポイントマスタ２０２（ともに図５参照）を更新する。
【００１６】
次に、ポイントマスタ６８２のデータ構成例について説明する。図３は、ポイントマスタ６８２の設定例を示した説明図である。なお、本部サーバ６のポイントマスタ６８２と、店舗サーバ４のポイントマスタ４８２と、ＰＯＳ端末１のポイントマスタ２０２とは上述のように同期される。従って、ここで説明する設定例は、ポイントマスタ４８２、２０２にも適用される。
【００１７】
ポイントマスタ６８２は、各ポイント企画について、適用対象とする店舗（適用店舗）を示す情報と、ポイント企画の適用対象とする商品（適用商品）を示す情報とをそれぞれ設定している。
【００１８】
・適用店舗の設定例
ポイントマスタ６８２は、各ポイント企画が、全店舗を適用対象とした企画なのか、特定店舗を対象とした企画なのかを区別可能に設定している。全店舗対象か特定店舗対象かの区別は、フラグ設定など他の方法によっても区別可能であるが、ここでは店舗コードによる設定例について説明する。
【００１９】
即ち図３に示すように、ポイントマスタ６８２には、ポイント企画ごとに、当該ポイント企画を適用する店舗の店舗コードが設定される。例えば、特定地域に属する複数店舗を適用対象とするのであれば、それら複数店舗の店舗コードがそれぞれ設定される（ケース３〜６）。また、特定店舗に限定せず、系列の全店舗をその企画の適用対象とするのであれば、全店舗を適用対象とする旨を示す店舗コード（例えば、９９９９９）が設定される（ケース２、７〜１０）。
【００２０】
・適用商品の設定例
また、ポイントマスタ６８２は、各ポイント企画が、全商品を適用対象とした企画なのか、特定商品を対象とした企画なのかを区別可能に設定している。全商品対象か特定商品対象かの区別は、フラグ設定など他の方法によっても区別可能であるが、ここでは商品コードによる設定例について説明する。
【００２１】
即ち図３に示すように、ポイントマスタ６８２には、ポイント企画ごとに、当該ポイント企画の適用対象とする商品の商品コードが設定される。例えば、特定商品をポイント付与の対象とする企画であれば、その対象商品の商品コードが設定される（ケース７〜１０）。また、特定商品に限定せず、全商品についてその企画の適用対象とする場合には、全商品を適用対象とする旨を示す商品コード（例えば、０）が設定される（ケース２〜６）。尚、適用商品を識別できるのであれば、商品コード以外の商品情報を設定してもよい。
【００２２】
このように本実施形態では、ポイントマスタ６８２に、ポイント企画の対象店舗または対象商品を適宜組み合わせて設定することができる。つまり、店舗ごと、あるいは企画ごとにポイントマスタを別々に設けずに、系列全店分、全企画分のポイント付与率を一括して管理することができる。
【００２３】
・ポイント付与率の設定例
ポイントマスタ６８２には、各ポイント企画のポイント付与率がそれぞれ設定される。図４では、ポイント付与率として、ポイント単価に対してポイント数を設定した例を示す。即ち、ケース１の例では、１００円に対して１ポイントを付与し、ポイント付与率を売上金額の１％としてベースポイント（基本ポイント）を設定している。ベースポイントとは、期間、店舗、商品を特定せず、通常期間に全店舗における全商品の購入で付与される購入ポイントのことである。尚、通貨単位は円に限定されず、実施国通貨に応じて変更されることは言うまでもない。
【００２４】
・適用期間の設定例
適用期間には、そのポイント企画が適用される期間の開始日と終了日が設定される。なお、ベースポイントについては、通年適用であるので、十分に適用期間をカバーできるように開始日と終了日が設定されている。
【００２５】
＜各設定ケースについての説明＞
・ケース１
ケース１には、上述したようにベースポイントが設定されている。店舗コード、商品コードにはともに０が設定されており、このコード値の組み合わせでベースポイントの適用対象であることを識別可能としている。尚、コード値は０以外の数値を設定してもよく、店舗コードおよび商品コードの組み合わせによってベースポイントが設定されている旨が識別できればよい。また、ケース２やケース７〜１０については、全店舗を適用対象とした、ベースポイントとは異なる期間限定のポイント企画があることを、店舗コードのコード値により識別できればよい。
【００２６】
・ケース２
ケース２では、例えば創業祭ポイント企画など、全商品、全店舗を適用対象としたポイント企画について、適用期間、ポイント付与率が設定されている。店舗コードには全店を適用対象とする旨を示すコード値９９９９９が設定されている。即ち、店舗コード、商品コードのコード値に関係なく、購入日が適用期間内（２０１４／０５／０９〜２０１４／０５／１１）であれば、ケース２のポイント付与率（ポイント単価２００に対して５ポイント付与）が適用される。
【００２７】
・ケース３〜６
ケース３〜６では、例えば地区限定ポイントなど、単数または複数の特定店舗に限定して、全商品を適用対象としたポイント企画が設定されている。つまり、適用店舗として、特定地区に属する店舗の店舗コード１１０１０、１１０２０、１１０３０、１１０４０の４店舗分の店舗コードがそれぞれ設定されている。適用商品は全商品であるから、適用対象の商品コードとしては０が設定されている。従って、商品コードには関係なく、上記４店舗の店舗コードを適用期間内（２０１４／０５／０９〜２０１４／０５／１１）に受付けると、ケース３〜６のポイント付与率（ポイント単価３００に対して１０ポイント付与）が適用される。
【００２８】
・ケース７〜１０
ケース７〜１０では、例えばクリスマス商品ポイントなど、特定商品を対象とし、全店舗で開催されるポイント企画が設定されている。このような場合、適用店舗の店舗コードには、全店を適用対象とする旨を示すコード値９９９９９が設定される。そして、適用商品の商品コードとしては、クリスマス等の季節行事に関する商品の商品コード１１００００１、１１００００３、１１００００４、１１０００２５が設定される。従って、店舗コードには関係なく、上記４つの商品コードを適用期間内（２０１４／１２／０１〜２０１４／１２／２５）に受付けると、ケース７〜１０のポイント付与率（ポイント単価４００に対して１５ポイント付与）が適用される。
【００２９】
・ケース１１〜１３
ケース１１〜１３では、特定商品かつ特定店舗を対象としたポイント企画が設定されている。この例では、特定地区に属する店舗の店舗コード１１５４１、１１５５０、１１５５１が設定されている。また、適用対象とする商品の商品コード１１００００２が設定されている。従って、これら適用店舗の店舗コードと、適用商品の商品コードとを、適用期間内（２０１４／０５／０１〜２０１４／０５／３１）に受付けると、ケース１１〜１３のポイント付与率（ポイント単価１００に対して１０ポイント）が適用される。
【００３０】
このように、ポイントマスタ６８２には、各ポイント企画について、適用店舗の店舗コードと、適用商品の商品コードと、適用期間とがそれぞれ設定されている。つまり、ポイントマスタ６８２に、全店を対象とするポイント企画、特定店舗を対象とするポイント企画を一括して設定することができる。従って、企画を開催する地域や店舗ごとにポイントマスタを準備せずに、系列店舗全店に同一のポイントマスタ６８２を配布すればよいので、マスタ管理業務を簡便化できる。
【００３１】
次に、店舗サーバ４について説明する。図４は、店舗サーバ４のハードウェア構成を示すブロック図である。店舗サーバ４は、ＣＰＵ、ＲＯＭ、ＲＡＭ等で構成されるコンピュータ構成の制御部４１を備えている。また、制御部４１にはバス４２及びＩ／Ｏ機器制御部４４を介して、キーボード４５、表示器４６、プリンタ４７及びＨＤＤ４８が接続されている。
【００３２】
制御部４１は、通信Ｉ／Ｆ４３１及び接続回線３を介してＰＯＳ端末１との間でデータ通信を行う。また、制御部４１は、通信Ｉ／Ｆ４３２及び専用回線８を介して本部サーバ６との間でデータ通信を行う。また、制御部４１は、ＰＯＳ端末１からの要求に応じて、本部サーバ６に各種データを送信するように要求する。加えて、制御部４１は、本部サーバ６から受信したデータを、要求のあったＰＯＳ端末１に送信する。
【００３３】
ＨＤＤ４８には、制御部４１のＣＰＵを動作させる各種制御プログラムの他、商品マスタ４８１、ポイントマスタ４８２、売上データファイル（不図示）等の各種データファイルを格納している。
【００３４】
また、制御部４１は所定時刻となると、あるいは店員が指示を入力すると、本部サーバ６から最新の商品マスタ６８１およびポイントマスタ６８２をダウンロードし、ＨＤＤ４８内の商品マスタ４８１およびポイントマスタ４８２を更新する。尚、データの更新方法は特に限定されず、差分データにより商品マスタ４８１またはポイントマスタ４８２を更新してもよい。
【００３５】
次に、ＰＯＳ端末１について説明する。図５は、ＰＯＳ端末１の機能構成を示すブロック図である。ＰＯＳ端末１は、ＣＰＵ、ＲＯＭ、ＲＡＭ等で構成されるコンピュータ構成の制御部１１を備える。また、制御部１１にはバス１２及びＩ／Ｏ機器制御部１４を介して、キーボード１５、スキャナ１６、店員用表示器１７、客用表示器１８、プリンタ１９、ＨＤＤ２０、磁気カードＲＷ（リーダライタ）２１、非接触式ＲＷ２２、スピーカ２３が接続されている。店員用表示器１７は、例えば液晶ディスプレイなどの表示装置である。店員用表示器１７の表示画面上には、タッチパネルが積層されている。
【００３６】
ＨＤＤ２０には、制御部１１が実行する各種プログラムの他、商品マスタ２０１、ポイントマスタ２０２が格納される。制御部１１は、所定時刻または更新指示をトリガとして、店舗サーバ４の商品マスタ４８１およびポイントマスタ４８２をコピーし、当該コピーデータにより、ＨＤＤ２０内の商品マスタ２０１およびポイントマスタ２０２を更新する。また、ＨＤＤ２０には、店舗コード設定領域２０３が設けられている。店舗コード設定領域２０３には、ＰＯＳ端末１が設置されている店舗を識別するための店舗コードが設定される。
【００３７】
磁気カードＲＷ２１は、磁気記憶式のポイントカード等に対してデータの読み書きを行う。尚、ポイントカードは磁気記憶式に限定されず、その他の記憶方式のカードを用いてもよい。その場合、ポイントカードのＲＷとしては、カードの記憶方式に沿うタイプのＲＷを用いる。非接触式ＲＷ２２は、非接触式ＩＣカード、あるいは、非接触式ＩＣチップを搭載した携帯型電子機器に対してデータの読み書きを行う。
【００３８】
制御部１１は、通信Ｉ／Ｆ１３及び接続回線３を介して店舗サーバ４との間でデータ通信を行う。また、制御部１１は、専用回線８を更に介して本部サーバ６とデータ通信を行う。また、制御部１１は、専用回線２を更に介して有効化サーバ７とデータ通信を行う。次に、制御部１１が実行する本実施形態のプログラムについて説明する。
【００３９】
なお、本実施形態のＰＯＳ端末１で実行されるプログラムは、ＲＯＭ等に予め組み込まれて提供される。本実施形態のＰＯＳ端末１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００４０】
さらに、本実施形態のＰＯＳ端末１で実行されるプログラムを、インターネット等のネットワークに接続されたコンピュータ上に格納し、ネットワーク経由でダウンロードさせることにより提供するように構成しても良い。また、本実施形態のＰＯＳ端末１で実行されるプログラムをインターネット等のネットワーク経由で提供または配布するように構成しても良い。
【００４１】
本実施形態のＰＯＳ端末１で実行されるプログラムは、図５に示すように、店舗コード読込部５１、商品コード受付部５２、ポイント管理部５３、印字制御部５４を含むモジュール構成となっている。実際のハードウェアとしてはＣＰＵが上記記憶媒体（ＲＯＭ）から本実施形態のプログラムを読み出して実行することにより上記各部が主記憶装置上にロードされる。そして、ＣＰＵが主記憶装置上に店舗コード読込部５１、商品コード受付部５２、ポイント管理部５３、印字制御部５４を生成する。
【００４２】
店舗コード読込部５１は、ＨＤＤ２０の店舗コード設定領域２０３に設定されている店舗コードを読み込む。尚、店舗コード読込のタイミングは特に限定されない。取引ごとに読み込んでもよいし、売上登録を行うアプリケーションの起動時にワーキングメモリ上に読み込んでおいてもよい。
【００４３】
商品コード受付部５２は、キーボード１５またはスキャナ１６からのコード入力に応じて、購入商品（売上商品）の商品コードを受付ける。
【００４４】
ポイント管理部５３は、店舗コード読込部５１が読み込んだ店舗コードと、商品コード受付部５２が受付けた商品コードと、ＲＴＣ（Real  Time  Clock）あるいはＯＳ等の計時手段から取得した日時とに基づいて、ポイントマスタ２０２に適用可能なポイント企画が有るか検索する。そして、適用可能なポイント企画があれば、当該企画のポイント付与率を読み込み、ポイントを算出する。尚、適用可能なポイント企画が無い場合には、ベースポイントを適用してポイントを算出する。
【００４５】
そして、ポイント管理部５３は、読み込んだポイント付与率と、商品価格とに基づいて、当該商品の購入に対して付与されるポイントを算出する。また、ポイント管理部５３は、現計キー等が操作されて一取引の終了が宣言されると、各商品購入分のポイントを合算して、今回取引で付与される合計ポイントを算出する。また、ポイント管理部５３は、合計ポイントと、客の会員番号とを本部サーバ６に送信し、会員マスタ６８３における累積ポイントの更新を行う。
【００４６】
印字制御部５４は、プリンタ１９に印字データを出力して、レシートの印字発行を制御する。また、印字制御部５４は、ポイント管理部５３が算出した今回分の合計ポイント（加算ポイントという場合もある）をレシートの印字データに含める。また、印字制御部５４は、本部サーバ６の会員マスタ６８３から更新後の累積ポイントを読み込んで、レシートの印字データに含める。プリンタ１９は印字データに基づきレシートを印字発行する。これにより、レシートには、購入商品の商品情報とともに、今回の取引で加算されたポイントと、現在客が保有する累積ポイントとが印字される。
【００４７】
次に、ＰＯＳ端末１が実行するポイント付与処理の手順例について説明する。図６は、ＰＯＳ端末１が実行するポイント付与処理の手順を示すフローチャートである。
【００４８】
まず、店舗コード読込部５１は、売上登録処理を開始すると店舗コード設定領域２０３から店舗コードをＲＡＭ上に読み込む（ステップＳ１）。次に、商品コード受付部５２は、キーボード１５またはスキャナ１６からのコード入力に応じて、購入商品の商品コードを受付ける（ステップＳ２）。また、商品コード受付部５２は、当該商品コードの商品について、商品名、価格などの商品情報を商品マスタ２０１から読み込む。
【００４９】
次に、ポイント管理部５３は、ステップＳ１で読み込んだ店舗コードと、ステップＳ２で受付けた商品コードと、現在日時とに基づいて、購入商品に適用可能なポイント企画が無いかポイントマスタ２０２内を検索する（ステップＳ３）。尚、この際の検索範囲にベースポイントは含まない。ベースポイント以外のポイント企画について該当するポイント企画の有無を検索し、該当無の場合にベースポイントを適用する。
【００５０】
店舗コード、商品コード、現在日時の組み合わせに該当するポイント企画があれば（ステップＳ４：Ｙｅｓ）、ポイント管理部５３は当該企画のポイント付与率をポイントマスタ２０２から読み込む（ステップＳ５）。そして、ポイント管理部５３は、ポイント付与率と、ステップＳ２で読み込んだ商品価格とから、当該商品に対して付与されるポイントを算出する（ステップＳ６）。一方、該当するポイント企画が無ければ（ステップＳ４：Ｎｏ）、ポイント管理部５３はベースポイントを適用して（ステップＳ７）ポイントを算出する（ステップＳ８）。
【００５１】
現計キー等の操作により取引終了が宣言されなければ（ステップＳ９：Ｎｏ）、制御部１１はステップＳ２に戻り、残りの商品についてステップＳ２〜Ｓ８の手順を行う。現計キー等の操作により取引終了が宣言されると（ステップＳ９：Ｙｅｓ）、ポイント管理部５３は、各商品に対して算出した個々のポイントを合算し、この取引分の合計ポイントを算出する（ステップＳ１０）。
【００５２】
そして、ポイント管理部５３は、磁気カードＲＷ２１から入力された会員番号と、ステップＳ１０で算出した今回分の合計ポイントとを本部サーバ６に送信し、会員マスタ６８３を更新する（ステップＳ１１）。本部サーバ６の制御部６１は、受信した会員番号の累積ポイントに、受信した合計ポイントを加算して累積ポイントを更新する。そして、累積ポイントをＰＯＳ端末１に返信する。
【００５３】
ＰＯＳ端末１の印字制御部５４は、ステップＳ２で受付けた商品コードや商品マスタ２０１から読み込んだ商品情報を含めて、レシートの印字データを生成する。また、印字制御部５４は、ステップＳ１０で算出した合計ポイントと、ステップＳ１１で更新された累積ポイントとを含めてレシートの印字データを生成する。そして、印字制御部５４は、生成した印字データをプリンタ１９に出力し、レシートを印字発行する（ステップＳ１２）。
【００５４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００５５】
上述した実施形態では、ポイント付与率を所定の売上金額（ポイント単価）に対して付与されるポイント数としたが、ポイント付与率の設定方法はこれに限定されない。その他の例として、商品を１点購入した際に所定ポイントを加算するようにポイント付与率を設定してもよい。また、特定店舗での一取引ごとに所定ポイントを加算するようにポイント付与率を設定してもよい。
【００５６】
例えば、特定店舗での一取引について１０ポイント加算するというポイント企画であれば、一取引ごとに加算される１０ポイントが本実施形態のポイント付与率に相当することとなる。あるいは、特定商品を購入するごとに１０ポイント加算するというポイント企画であれば、商品を１点購入する毎に加算される１０ポイントが本実施形態のポイント付与率に相当することとなる。
【００５７】
つまり、本実施形態のポイント付与率は、商品価格に対して付与されるポイント割合には限定されない。商品単位、取引単位に対して加算されるポイントをポイント付与率として設定してもよい。
【００５８】
以上説明したように、本実施形態のＰＯＳ端末１は、自店舗の店舗コードを用いて自店舗に適用されるポイント付与率をポイントマスタ６８２から読み込み、ポイントを計算する。即ち本実施形態のＰＯＳ端末１は、自店舗に適用されるポイント企画をポイントマスタから抽出できるので、ポイントマスタは全店共通のものとすることができる。従って、企画対象店舗と企画対象ではない店舗とでポイントマスタを変えて準備する必要がなくなる。このように本実施形態によれば、ポイント企画が多様化または複雑化しても、系列店舗におけるポイント管理業務の簡便化および効率化を図ることができる。
【符号の説明】
【００５９】
１…ＰＯＳ端末、４…店舗サーバ、６…本部サーバ、１００…店舗システム、２０１、４８１、６８１…商品マスタ、２０２、４８２、６８２…ポイントマスタ、６８３…会員マスタ、２０３…店舗コード設定領域。
【先行技術文献】
【特許文献】
【００６０】
【特許文献１】特開２０１３−１８６５１３号公報
【図１】
2018190471.tif 000003
【図２】
2018190471.tif 000004
【図３】
2018190471.tif 000005
【図４】
2018190471.tif 000006
【図５】
2018190471.tif 000007
【図６】
2018190471.tif 000008
【手続補正書】
【提出日】平成30年10月1日(2018.10.1)
【手続補正１】
【補正対象書類名】特許請求の範囲
【補正対象項目名】全文
【補正方法】変更
【補正の内容】
【特許請求の範囲】
【請求項１】
店舗を識別するための店舗識別情報を記憶した店舗情報記憶手段と、
ポイント企画ごとに、そのポイント企画を適用する店舗の店舗識別情報と、そのポイント企画で適用するポイント付与率と、を対応づけて記憶したポイント記憶手段と、
前記店舗情報記憶手段から、自店舗の店舗識別情報を読み込む店舗情報読込手段と、
前記ポイント記憶手段から、前記店舗情報読込手段が読み込んだ前記店舗識別情報に対する前記ポイント付与率を読み込むポイント読込手段と、
前記ポイント読込手段が読み込んだ前記ポイント付与率に基づいてポイントを算出し、算出したポイントを出力するポイント出力手段と、
を備える販売データ処理装置。
【請求項２】
前記ポイント記憶手段は、前記ポイント企画として、当該ポイント企画を適用する商品は特定せずに、当該ポイント企画を適用する店舗を特定する店舗対象企画についてそのポイント付与率を記憶し、
前記ポイント読込手段は、前記ポイント記憶手段から、前記店舗情報読込手段が読み込んだ前記店舗識別情報に該当する店舗限定の前記ポイント企画のポイント付与率を読み込み、
前記ポイント出力手段は、前記ポイント読込手段が読み込んだ前記店舗対象企画のポイント付与率に基づいてポイントを算出し、算出したポイントを出力する、
請求項１に記載の販売データ処理装置。
【請求項３】
売上商品の商品情報を受付ける商品情報受付手段を更に備え、
前記ポイント記憶手段は、前記ポイント企画ごとに、当該ポイント企画を適用する店舗の店舗識別情報と、当該ポイント企画を適用する商品の商品情報との組み合わせを記憶し、
前記ポイント読込手段は、前記ポイント記憶手段から、前記店舗情報読込手段が読み込んだ前記店舗識別情報および前記商品情報受付手段が受付けた前記商品情報の組み合わせに該当する前記ポイント企画を選択して、当該ポイント企画のポイント付与率を読み込み、
前記ポイント出力手段は、前記ポイント読込手段が読み込んだ前記ポイント付与率に基づいてポイントを算出し、算出したポイントを出力する、
請求項１または２に記載の販売データ処理装置。
【請求項４】
前記ポイント記憶手段は、いずれの前記ポイント企画にも該当しない場合に適用するベースポイントのポイント付与率を記憶し、
前記ポイント出力手段は、前記店舗情報読込手段が読み込んだ前記店舗識別情報に該当する前記ポイント企画が前記ポイント記憶手段に設定されていなければ、前記ベースポイントのポイント付与率に基づいてポイントを算出し、算出したポイントを出力する、
請求項１ないし３のいずれか１つに記載の販売データ処理装置。
【請求項５】
前記ポイント記憶手段は、前記ポイント企画ごとに、当該ポイント企画の適用期間を記憶し、
前記ポイント読込手段は、前記ポイント記憶手段から適用期間内の前記ポイント企画のポイント付与率を読み込む、請求項１ないし４のいずれか１つに記載の販売データ処理装置。
【請求項６】
店舗を識別するための店舗識別情報を記憶した店舗情報記憶手段と、ポイント企画ごとに、そのポイント企画を適用する店舗の店舗識別情報と、そのポイント企画で適用するポイント付与率と、を対応づけて記憶したポイント記憶手段とを備えた販売データ処理装置としてのコンピュータを、
前記店舗情報記憶手段から、自店舗の店舗識別情報を読み込む店舗情報読込手段と、
前記ポイント記憶手段から、前記店舗情報読込手段が読み込んだ前記店舗識別情報に対する前記ポイント付与率を読み込むポイント読込手段と、
前記ポイント読込手段が読み込んだ前記ポイント付与率に基づいてポイントを算出し、算出したポイントを出力するポイント出力手段と、
して機能させるプログラム。
【手続補正２】
【補正対象書類名】明細書
【補正対象項目名】０００６
【補正方法】変更
【補正の内容】
【０００６】
実施形態の販売データ処理装置は、店舗を識別するための店舗識別情報を記憶した店舗情報記憶手段と、ポイント企画ごとに、そのポイント企画を適用する店舗の店舗識別情報と、そのポイント企画で適用するポイント付与率と、を対応づけて記憶したポイント記憶手段と、前記店舗情報記憶手段から、自店舗の店舗識別情報を読み込む店舗情報読込手段と、前記ポイント記憶手段から、前記店舗情報読込手段が読み込んだ前記店舗識別情報に対する前記ポイント付与率を読み込むポイント読込手段と、前記ポイント読込手段が読み込んだ前記ポイント付与率に基づいてポイントを算出し、算出したポイントを出力するポイント出力手段と、を備える。